(57)【要約】      （修正有）【課題】プリンタの小型化を維持しつつ、長い用紙を積載することのでき、更に、延長用紙トレイの引き出し時及び収納時の操作性に優れた用紙積載装置を提供すること。【解決手段】画像形成装置の外装部の一部を形成し、開閉可能に形成された開閉蓋１２と、該開閉蓋に収納可能な複数の用紙積載部材と、該用紙積載部材間を連結するリンク部材と、前記用紙積載部材を引き出し方向へと付勢する第一の付勢手段と、前記開閉蓋に設けられ、係合部が前記用紙積載部材に係合することで用紙積載部材の引き出しを規制する第一のロック部材３０と、該第一のロック部材を前記用紙積載部材に係合する方向へと付勢する第二の付勢手段を有するプリンタにおいて、前記開閉蓋が収納状態から所定角度回動した位置において、前記第一のロック部材の当接部３０ｃが筐体１１の当接部１１ｅに当接し、前記第一のロック部材の前記用紙積載部材への係合が解除されることを特徴とする。【選択図】図７
2016199367.tif 000002
【特許請求の範囲】
【請求項１】
画像形成装置（１）の外装部の一部を形成し、回動可能に形成された開閉蓋（１２）と、
該開閉蓋（１２）に収納可能な複数の用紙積載部材（２１〜２３）と、
該用紙積載部材（２１〜２３）間を連結するリンク部材（２５〜２８）と、
前記用紙積載部材（２１〜２３）を引き出し方向へと付勢する第一の付勢手段（２９ａ、２９ｂ）と、
前記開閉蓋（１２）に設けられ、係合部（３０ｂ）が前記用紙積載部材（２３ａ）に係合することで用紙積載部材（２１〜２３）の引き出しを規制する第一のロック部材（３０）と、
該第一のロック部材（３０）を前記用紙積載部材（２３ａ）に係合する方向へと付勢する第二の付勢手段（３１）を有する画像形成装置において、
前記開閉蓋（１２）が収納状態から所定角度回動した位置において、前記第一のロック部材の当接部（３０ｃ）が外装部材（１１）の当接部（１１ｅ）に当接し、
前記第一のロック部材（３０）の係合部（３０ｂ）の前記用紙積載部材（２３ａ）への係合が解除されることを特徴とする画像形成装置（１）。
【請求項２】
前記開閉蓋（１２）を閉塞した状態において、前記第一のロック部材（３０）の当接部（３０ｃ）が前記外装部材（１１）の当接部（１１ｅ）から退避していることを特徴とする請求項１に記載の画像形成装置（１）。
【請求項３】
前記開閉蓋（１２）を開放状態で保持する回動規制部（１１ｄ）を有する画像形成装置（１）において、
前記開閉蓋（１２）が前記回動規制部（１１ｄ）まで開放し、
前記用紙積載部材（２１〜２３）が引き出された状態において、
前記第一のロック部材（３０）の係合部（３０ｂ）に対し、前記用紙積載部材の係合部（２３ａ）が、前記用紙積載部材（２１〜２３）の引き出し方向と同一方向の延長線上から退避していることを特徴とする請求項１又は請求項２に記載の画像形成装置（１）。
【請求項４】
前記第一の付勢手段はねじりコイルばね（２９ａ、２９ｂ）であり、
該ねじりコイルばね（２９ａ、２９ｂ）は連結する二つのリンク部材（２５〜２８）の
連結部に装着され、
該ねじりコイルばね（２９ａ、２９ｂ）の一端は
連結する二つのリンク部材（２５〜２８）の第一のリンク部材に、
該ねじりコイルばね（２９ａ、２９ｂ）の他端は
連結する二つのリンク部材（２５〜２８）の第二のリンク部材に掛けられることを特徴とする請求項１乃至請求項３の何れか一項に記載の画像形成装置（１）。
【請求項５】
前記第一のロック部材（３０）は、本体から最も引き出される用紙積載部材（２３）に係合することを特徴とする請求項１乃至請求項４の何れか一項に記載の画像形成装置（１）。
【請求項６】
前記開閉蓋（１２）を回動する方向へと付勢する第三の付勢手段（１３）と、
前記開閉蓋（１２）の閉塞状態を保持する第二のロック手段（１４、１２ｂ）を有し、
印刷動作の前に前記第二のロック手段（１４、１２ｂ）のロック状態が解除されることを特徴とする請求項１乃至請求項５の何れか一項に記載の画像形成装置（１）。
【発明の詳細な説明】
【技術分野】
【０００１】
本発明は、用紙を積載する用紙積載装置および画像形成装置に関する。
【背景技術】
【０００２】
画像を用紙に印刷する手段として、様々な方式による記録装置が提案されている。各々の記録装置では、給紙部から画像印刷用の被記録媒体を給紙、搬送し、記録装置内の印画手段で印刷された被記録媒体がさらに下流の搬送経路を通った後、装置外部に排出される。
【０００３】
被記録媒体が記録装置から外部に排出される際には、床に落下してしまうのを防ぐ為に、用紙トレイを設ける装置が多い。印刷を行わない時のプリンタの設置場所を考慮し、用紙トレイを記録装置に外付けする記録装置も存在するが、このような記録装置では印刷をしない時の用紙トレイの取り扱いが面倒になるということがある。それに対し、記録装置を使用しない時には、記録装置内に用紙トレイを収納できる記録装置が提案されている。
【０００４】
このような記録装置では、印刷をしない時には、用紙トレイを本体内に収納できるため、設置場所を多くとらないという利点がある。ところが、用紙トレイを本体内に収納する場合、用紙トレイが小さくなるために、長い用紙の積載ができなくなる恐れがある。
【０００５】
それに対し、特許文献１には、用紙トレイを本体内に収納可能と構成しているのに加え、収納時には用紙トレイが二重構造をとり、使用時には用紙トレイが延長する構成の記録装置が提案されている。特許文献１の第一の実施例では二重構造となっている用紙トレイ間に用紙トレイの伸び方向に付勢された圧縮バネが備えられており、収納位置においては、本体内に設けた用紙トレイの延長を規制するロック部に用紙トレイの先端が係合する構成となっている。このような構成により、収納状態からユーザ操作により用紙トレイのロックを外し回動させることにより、自動的に延長用紙トレイが引き出される。
【０００６】
また、特許文献１の第二の実施例では二重構造となっている用紙トレイのうち、片側の用紙トレイにラックが切られており、用紙トレイの回動により回転するアイドラギヤがラックに噛み合うことで、用紙トレイの回動と延長が連動する構成となっている。
【先行技術文献】
【特許文献】
【０００７】
【特許文献１】特開２００６−６２８６３号公報
【発明の概要】
【発明が解決しようとする課題】
【０００８】
しかしながら、上述の特許文献に開示された従来技術の第一の実施例では、圧縮バネの伸縮により用紙トレイの伸縮を行っているため、収納状態と延長状態の長さの差を大きく付けることが困難である。すなわち、長い用紙トレイを実現するためには、収納体積の大型化が避けられず、一方、収納体積の小さい用紙トレイを実現するためには、長さの短い用紙トレイとなってしまうという問題がある。なお、上述の特許文献の第二の実施例に挙げられているラックとアイドラギヤを使用する用紙積載装置についても、用紙トレイに形成するラックの長さを長くすると収納体積が大きくなり、ラックの長さを短くすると、収納長さが小さくなるという同様の問題がある。
【０００９】
また、上述の特許文献の第一の実施例では、本体内に延長用紙トレイのロックを有しているため、用紙トレイの収納時には、用紙トレイを縮める方向に力を加えながら、収納位置まで蓋を回動させるという二つの動作を蓋の閉塞位置まで行わなければならない。さらに、収納状態と延長状態の長さの差が大きい用紙トレイでは収納時のバネ力が非常に大きくなるため、用紙トレイを縮めるために必要な力が大きくなってしまう。以上のように収納時の操作性に難があるという問題点も挙げられる。
【００１０】
そこで、本発明の目的は、プリンタの小型化を維持しつつ、長い用紙を積載することができ、更に、延長用紙トレイの引き出し時及び収納時の操作性に優れた用紙積載装置を提供することにある。
【課題を解決するための手段】
【００１１】
上記の目的を達する為に、本発明は、
画像形成装置の外装部の一部を形成し、開閉可能に形成された開閉蓋と、
該開閉蓋に収納可能な複数の用紙積載部材と、
該用紙積載部材間を連結するリンク部材と、
前記用紙積載部材を引き出し方向へと付勢する第一の付勢手段と、
前記開閉蓋に設けられ、係合部が前記用紙積載部材に係合することで用紙積載部材の引き出しを規制する第一のロック部材と、
該第一のロック部材を前記用紙積載部材に係合する方向へと付勢する第二の付勢手段を有するプリンタにおいて、
前記開閉蓋が収納状態から所定角度回動した位置において、前記第一のロック部材の当接部が筐体の当接部に当接し、
前記第一のロック部材の前記用紙積載部材への係合が解除されることを特徴とする。
【発明の効果】
【００１２】
本発明によれば、プリンタの小型化を維持しつつ、長い用紙でも積載可能な用紙積載装置を提供できる。また、延長用紙トレイの引き出し、および、収納動作が容易な用紙積載装置を提供できる。
【図面の簡単な説明】
【００１３】
【図１】（ａ）開閉蓋閉時斜視図（ｂ）開閉蓋開時斜視図
【図２】開閉蓋開閉機構部分解図
【図３】（ａ）開閉蓋閉時詳細正面図（ｂ）開閉蓋閉時断面図
【図４】（ａ）開閉蓋開時詳細正面図（ｂ）開閉蓋開時断面図（ｃ）開閉蓋ロック部材回動構成図
【図５】（ａ）延長用紙トレイ引き出し時詳細正面図（ｂ）リンク機構延長時詳細正面図（ｃ）延長用紙トレイ引き出し時詳細断面図（ｄ）リンク機構延長時詳細側面図
【図６】（ａ）延長用紙トレイ収納時詳細正面図（ｂ）リンク機構収納時詳細正面図（ｃ）トレイロック部材詳細正面図（ｄ）延長用紙トレイ収納時詳細断面図
【図７】延長用紙トレイロック解除時詳細断面図
【発明を実施するための形態】
【００１４】
以下に、本発明の好ましい実施形態を添付の図面に基づいて詳細に説明する。
【００１５】
［実施例］
図１から図７は本発明の実施形態の概略機構を示す斜視図、詳細図および断面図である。本発明における実施形態の画像形成装置は、上方排紙型のプリンタを使用しているが、プリンタの排出方向はこれに限るものではない。図１（ａ）はプリンタ全体構成を示すプリンタ構成開閉蓋閉時斜視図であり、図１（ｂ）はプリンタ構成開閉蓋開時斜視図である。図２はプリンタ内部の用紙切断機構に連動する開閉蓋の開閉機構の構成を説明する開閉蓋開閉機構部分解図である。
【００１６】
図１で示すように、本実施例のプリンタ１はプリンタ上方かつ後方部に、プリンタ装置により印刷された用紙がプリンタ外部に排出された際に用紙を積載する用紙トレイが備えられている。被記録媒体をプリンタ機構外部の用紙トレイに排出する為に、プリンタ１は外装部の一部を開口した開口部を有する。さらに、プリンタ１は外装部材に備えられた回動軸を中心に回動自由に保持された開閉蓋１２を有する。開口部は開閉蓋１２によって、閉塞状態と開放状態の切り替えを行うことが可能である。開閉蓋１２は非印画時に塵埃や異物がプリンタ１内部に入り込むことを防ぐ為に設けられている。
【００１７】
本実施形態では、開閉蓋１２内部に延長用紙トレイが収納されており、開閉蓋１２が回動することにより、開閉蓋１２内の延長用紙トレイが引き出されるが、詳細な説明は後述する。プリンタ１の上方部に排出された印刷物はプリンタ背面の用紙トレイに積載することが可能となり、プリンタ前面からでも容易に取り出すことが可能となる。
【００１８】
図２で示すように本実施形態は外装部材１１の回動軸付近にバネ部材１３を装着した開閉蓋１２を外装部材１１の嵌合軸に装着する。開閉蓋１２は回動自在に保持されており、開閉蓋付勢バネ部材１３により、開閉蓋１２は開き方向に付勢される構成としている。プリンタ１内部には、外装部材１１に設けられた軸を中心に回動自在に開閉蓋ロック部材１４が装着されている。開閉蓋ロック部材１４はバネ部材１５により開閉蓋１２に係合可能な方向にバネ付勢されている。プリンタ１内部には不図示のフレームに、印刷機構や用紙切断機構４、排紙機構５０、用紙搬送ガイド部材６０、用紙供給部等が備えられたプリンタ装置が外装部材１１に位置決めされ、ネジで取り付けられている。
【００１９】
用紙切断機構４は駆動モータ４１、レバー部材４２、ベース部材４３、ギア列４４、可動刃４５、そして固定刃４６他から構成されている。用紙切断機構４は駆動モータ４１を動力源にギア列４４を回転させて可動刃４５を用紙に対して略垂直に移動し、用紙の切断を行う。可動刃４５にはレバー部材４２が取り付けられ、レバー部材４２にはベース部材４３が取り付けられており、プリンタ１内を可動刃と同時に移動する。
【００２０】
本実施形態の開閉蓋開閉機構について図３および図４を参照に行う。図３は開閉蓋閉時詳細図を示し、図４は開閉蓋開時詳細図を示す。
【００２１】
開閉蓋閉時について、図３の状態を参照して説明する。図３（ａ）は開閉蓋閉時詳細正面図であり、図３（ｂ）は開閉蓋閉時断面図である。非印画時には開閉蓋１２を閉めた状態で保持する為の開閉蓋ロック機構が必要であり、後述するプリンタ装置との連動をおこなうために、係合部に回動部材である開閉蓋ロック部材１４を設けている。開閉蓋ロック部材１４は外装部材１１に設けられた回動軸１１ａを中心に回動を行う。バネ部材１５の一端が外装部材１１に設けられたバネ保持部１１ｃと当接し、他端が開閉蓋ロック部材１４と当接することによって、開閉蓋ロック部材１４は図中矢印Ａ方向に付勢されている。
【００２２】
開閉蓋ロック部材１４はバネ付勢による回転を規制する為に外装部材１１に設けられたストッパ１１ｂに当接することにより規制され、開閉蓋１２が閉じられた場合に開閉蓋１２の係合部１２ｂと係合する位置に保持される構成となっている。開閉蓋ロック部材１４に外力が与えられていない場合は図３の位置に配置され、開閉蓋１２を閉じることが可能となっている。なお、開閉蓋閉時では、図３（ｂ）のように可動刃４５と固定刃４６間は閉じた状態となっており、用紙搬送経路Ｐｒは閉塞されている。
【００２３】
次に、開閉蓋開時を図４の状態を参照して説明する。図４（ａ）は開閉蓋開時詳細正面図であり、図４（ｂ）は開閉蓋開時断面図、図４（ｃ）は開閉蓋ロック部材回動構成図である。印刷が開始されると、不図示の用紙供給部からの用紙Ｐの搬送と、用紙切断機構４の駆動モータ４１への通電が行われる。駆動モータ４１は通電により回転し、駆動モータ４１の回転がギア列４４を回転させることにより、可動刃４５が移動して用紙切断機構４の可動刃４５と固定刃４６間が開いた状態となり、用紙搬送経路Ｐｒが図４（ｂ）のように開放される。可動刃４５の移動により、レバー部材４２とベース部材４３もプリンタ内を移動し、ベース部材４３が開閉蓋ロック部材１４に当接する。
【００２４】
図４（ｃ）で示すようにレバー部材４２とベース部材４３が矢印Ｃ方向に移動することによって、開閉蓋ロック部材１４のカム面１４ａがベース部材のカムフォロア面４３ａと当接する。カムフォロア面４３ａは傾斜になっており、当接する互いのカム面が摺動し、回動可能に保持された開閉蓋ロック部材１４がベース部材４３からの外力により図４（ａ）で示す矢印Ｂ方向に回動する。開閉蓋ロック部材１４が回動することにより、開閉蓋１２と係合している係合部１２ｂから退避し、開く方向に付勢されている開閉蓋１２は回動軸１２ａを中心に開く方向に回動し、回動規制部１１ｄに開閉蓋１２が当接することにより、回転が制止する。用紙切断機構４が開いている際はベース部材４３と開閉蓋ロック部材１４が常に当接している状態にあるため、開閉蓋ロック部材１４の係合部は待機状態の位置から退避した状態に保持される。
【００２５】
本実施形態のプリンタでは、不図示の印刷手段により印刷された用紙Ｐは可動刃４５と固定刃４６の間を通り、排紙機構５０まで搬送され、排紙ローラ５１の駆動ローラ５１ａと従動ローラ５１ｂによりニップされる。その後、用紙切断機構４によって切断された用紙Ｐは排紙機構５０の排紙ローラ５１により、さらに下流に搬送され、用紙Ｐが排紙ローラ５１のニップから離間した後、排紙ガイド部材５２により用紙トレイ１６の方向に押し出され、次に説明する延長用紙トレイにより移動が制止され、積載される。
【００２６】
開閉蓋１２に設けられた延長用紙トレイの伸縮機構について、図５、図６、図７を用いて説明する。
【００２７】
延長用紙トレイが最大長さになった状態について、図５を参照して説明する。図５（ａ）は延長用紙トレイの引き出し状態の正面図を示し、図５（ｂ）は図５（ａ）から第二用紙トレイ２２及び第三用紙トレイ２３を外した図を、図５（ｃ）は断面図を示す。図５（ａ）に示すように、本実施形態の用紙トレイは三段構成としている。本体側の用紙トレイから順に第一用紙トレイ２１、第二用紙トレイ２２、第三用紙トレイ２３とする。第一用紙トレイ２１は両側面に形成した穴を開閉蓋１２の両側面に形成した爪に嵌合することで保持される。
【００２８】
第二用紙トレイ２２は同様に、両側面に形成した穴を第二用紙トレイ保持部材２４の両側面に形成した爪に嵌合することで保持される。第二用紙トレイ２２及び第二用紙トレイ保持部材２４の矢印Ｄ方向のガタは第一用紙トレイ２１および開閉蓋１２により規制され、側面のガタは第一用紙トレイ２１により規制される。第二用紙トレイ保持部材２４には軸２４ａが形成されており、軸２４ａが開閉蓋１２に形成されたレール１２ｃに係合する。第二用紙トレイ保持部材２４に形成された軸２４ａが開閉蓋１２に形成されたレール１２ｃを摺動することで、第二用紙トレイ２２は矢印Ｅ方向に移動する。
【００２９】
また、第二用紙トレイ保持部材２４の裏面には当接部２４ｂが形成されており、第二用紙トレイ２２の最大引き出し長さにおいて、当接部２４ｂと開閉蓋１２に設けられた当接部１２ｄが当接することで、第二用紙トレイ２２の移動が規制される。第三用紙トレイ２３の矢印Ｄ方向のガタは第二用紙トレイ２２および第二用紙トレイ保持部材２４により規制され、側面のガタは第二用紙トレイ保持部材２４により規制される。第三用紙トレイ２３には当接部２３ａが形成されており、第三用紙トレイ２３の最大引き出し長さにおいて、当接部２３ａと第二用紙トレイ保持部材２４に設けられた当接部２４ｃが当接することで、第三用紙トレイ２３の移動が規制される。また、第三用紙トレイ２３には後述する用紙トレイロック部材を係合させる係合穴２３ａが形成されている。
【００３０】
延長用紙トレイの引き出し状態と収納状態の切り替えはリンク機構により行われる。本実施例では四本のリンク部材を使用しており、本体側のリンク部材から順に、第一リンク部材２５、第二リンク部材２６、第三リンク部材２７、第四リンク部材２８とする。
第一リンク部材２５の本体側の端部には回動軸２５ａが形成されており、回動軸２５ａは開閉蓋１２に設けられた不図示の中空軸に係合している。第一リンク部材２５は回動軸２５ａを中心に回動する。第一リンク部材２５の他端には中空軸２５ｂが形成されており、第二リンク部材２６の一端に形成された軸２６ａが中空軸２５ｂに係合する。
【００３１】
図５（ｄ）のように、中空軸２５ｂの外径にはバネ部材２９ａが嵌められており、バネ部材２９ａの一端は第一リンク部材２５に、他端は第二リンク部材２６に掛けられることにより、第一リンク部材２５及び第二リンク部材２６が中空軸２５ｂを中心に互いに離れる方向へと付勢される。第二リンク部材２６の他端には穴が形成されており、第三リンク部材２７の一端に形成された軸２７ａが穴に係合する。第三リンク部材２７の軸２７ａはさらに、第二用紙トレイ保持部材２４に形成された穴に係合する。第三リンク部材２７の他端には中空軸が形成されており、第四リンク部材２８に形成された軸が中空軸に係合する。
【００３２】
第四リンク部材２８の他端には表裏に軸２８ａ、２８ｂが形成されており、軸２８ａは第三用紙トレイ２３の穴に、軸２８ｂは第二用紙トレイ保持部材２４に形成されたレール２４ｂに係合する。また、図５（ｄ）のように、第三リンク部材２７の中空軸の外径にはバネ部材２９ｂが嵌められ、バネ部材２９ｂの一端は第三リンク部材２７に、他端は第四リンク部材２８に掛けられることにより、第三リンク部材２７及び第四リンク部材２８が中空軸を中心に互いに離れる方向へと付勢される。なお、第一リンク部材２５と第二リンク部材２６の矢印Ｄ方向のガタは第一用紙トレイ２１および開閉蓋１２により規制され、第三リンク部材２７と第四リンク部材２８の矢印Ｄ方向のガタは第二用紙トレイ２２および第二用紙トレイ保持部材２４により規制される。
【００３３】
以上の構成により、延長用紙トレイの収納状態から後述する用紙トレイロック部材のロックの解除が行われると、バネ部材２９ａの付勢力により、第一リンク部材２５と第二リンク部材２６が互いに離れる方向へと移動し、第二用紙トレイ保持部材２４の当接部２４ｂと開閉蓋１２の当接部１２ｄが係合するまで、第二用紙トレイ２２が引き出される。同様に、バネ部材２９ｂの付勢力により、第三リンク部材２７と第四リンク部材２８が互いに離れる方向へと移動し、第三用紙トレイ２３の当接部２３ａと第二用紙トレイ保持部材２４の当接部２４ｃが係合するまで、第三用紙トレイ２３が引き出される。
【００３４】
本実施形態では斜め上方に排紙を行うプリンタを想定しているため、用紙トレイ延長状態において、用紙トレイおよびリンク部材の自重により、用紙トレイには常に収納方向の力が加えられる。すなわち、リンク部材には、折り畳み方向の力が加えられる。そのため、用紙トレイを延長状態で保持するために、バネ部材２９ａ、２９ｂはトレイの延長状態において、折り畳み方向に加わる力よりも十分大きい力が発生できる形状とする。
【００３５】
本実施例の延長用紙トレイロック機構について、図６の状態を参照して説明する。図６（ａ）は延長用紙トレイの収納状態の正面図を示し、図６（ｂ）は図６（ａ）から第二用紙トレイ２２及び第三用紙トレイ２３を外した図を示す。また、図６（ｃ）は用紙トレイロック部材の取付部の正面図を示し、図６（ｄ）は延長用紙トレイの収納状態の断面図を示す。  
【００３６】
図６（ａ）、（ｂ）に示すように、リンク機構を折り畳むことで、延長用紙トレイが開閉蓋１２の内部に収まる構成となっている。延長用紙トレイの収納状態を保持するために、本実施例では用紙トレイの延長を規制するロック部材を有する。
【００３７】
図６（ｃ）を参照して、用紙トレイロック部材の取付状態について説明する。なお、図６（ｃ）は図６（ａ）、（ｂ）に対し、反対側から見た図である。用紙トレイロック部材３０の回動軸３０ａは第一用紙トレイ２１に軸支され、回動軸３０ａにはバネ部材３１が嵌められる。バネ部材３１の一端は第一用紙トレイ２１に、他端は用紙トレイロック部材３０に掛けられることにより、用紙トレイロック部材３０には回動軸３０ａを中心にして係合部３０ｂが第三用紙トレイ２３の係合穴２３ａに係合する方向へと回転する力が付与される。
【００３８】
収納状態では、図６（ｄ）のように、用紙トレイロック部材３０の当接部３０ｃが外装部材１１の当接部１１ｅから離間しているため、係合部３０ｂが第三用紙トレイ２３の係合穴２３ａに係合する。係合部３０ｂが第三用紙トレイ２３の係合穴２３に係合することで、延長用紙トレイの引き出しが規制される。
【００３９】
次に、開閉蓋１２の閉塞状態から開放状態まで開閉蓋１２が回動するときの延長用紙トレイの動作について図７の状態を参照して説明する。図７は延長用紙トレイロック機構のロック解除位置の断面図を示す。開閉蓋１２の閉塞状態では、上述の開閉蓋ロック機構及び延長用紙トレイロック機構により、開閉蓋１２は閉塞状態を保持される。プリンタの起動時に上述の方法で開閉蓋ロック機構のロックが解除され、開閉蓋１２は軸１２ａを中心に回動する。開閉蓋１２が所定量回動すると、図７のように用紙トレイロック部材３０の当接部３０ｃが外装部材１１の当接部１１ｅに当接する。
【００４０】
開閉蓋１２に組みつけられた用紙トレイおよびリンク機構は開閉蓋１２の回動に伴い、図中時計回りに更に回動するが、用紙トレイロック部材３０は当接部３０ｃが外装部材１１ｅに突き当たるため、開閉蓋１２に追従出来なくなる。そのため、開閉蓋１２の更なる回動により、第三用紙トレイ２３の係合穴２３ａが係合部３０ｂから退避し、用紙トレイのロックが解除される。用紙トレイのロックが解除された後、延長用紙トレイは上述のリンク機構により引き出される。
【００４１】
なお、自動的に引き出された用紙トレイをユーザが誤って押し縮ませた時に、ロックがかかってしまい、用紙トレイが短い状態で保持された場合には、用紙の積載に失敗する恐れがある。ところが、本実施例では開閉蓋１２が回動規制部１１ｄまで開放した位置において、トレイロック部材３０の係合部３０ｂに対し、第三用紙トレイの係合部２３ａが、矢印Ｅ方向の延長線上から退避しているため、用紙トレイは短い状態では保持されない。
【００４２】
一方、用紙トレイの延長状態から開閉蓋１２を閉める際には、ユーザが延長用紙トレイを押し縮ませ、閉塞位置まで回動させる必要がある。その際、回動途中の図７の位置において用紙トレイの延長ロック機構が働くため、開閉蓋１２が閉塞するまで押し縮ませ続ける必要はない。開閉蓋１２を閉める他の方法としては、用紙トレイのロックの切替点（図７の位置）よりも回動させたところで、延長用紙トレイを押し縮ませ、延長用紙トレイのロックをかけた後、閉塞するまで開閉蓋１２を回動させてもよい。
【００４３】
以上のように、本実施例では延長用紙トレイの伸縮にリンク機構を採用しているため、収納長さと引き出し長さの差の大きいトレイを実現することができる。すなわち、収納体積が小さく、積載長さの長い用紙トレイを実現できる。なお、用紙トレイの段数は本実施例では三段としているが、必要に応じて、それ以上、若しくは、それ以下でも実現可能である。
【００４４】
また、本実施例では印刷開始時に開閉蓋の開放と延長用紙トレイの延長が自動的に行われるため、ユーザが自ら開閉蓋を開放し、延長用紙トレイを引き出す必要がない。一方、延長用紙トレイの収納時でも上述のように開閉蓋が閉塞するまで延長用紙トレイを押し縮ませ続ける必要がない。以上より、使用時及び収納時、何れについてもユーザの操作性が良好な用紙積載用紙トレイを実現できる。
【００４５】
また、本実施例では排紙トレイの場合について記載しているが、用紙積載装置全般について実現可能である。例えば、給紙トレイを有するプリンタにおける延長給紙トレイとしても、本実施例の構成で実現できる。
【符号の説明】
【００４６】
１  プリンタ、１１  外装部材、１１ｄ  回動規制部、１１ｅ  当接部、１２  開閉蓋、
１２ｂ  係合部、１３  開閉蓋付勢バネ部材、１４  ロック部材、
１５  ロック部材付勢バネ部材、１６  用紙トレイ、２０  延長用紙トレイ、
２１  第一用紙トレイ、２２  第二用紙トレイ、２３  第三用紙トレイ、
２３ａ  係合部、２４  第二用紙トレイ保持部材、２５  第一リンク部材、
２６  第二リンク部材、２７  第三リンク部材、２８  第四リンク部材、
２９ａ リンク部材付勢バネ部材、２９ｂ リンク部材付勢バネ部材、
３０  用紙トレイロック部材、３０ｂ  係合部、３０ｃ  当接部、
３１  用紙トレイロックバネ部材
【図１】
2016199367.tif 000003
【図２】
2016199367.tif 000004
【図３】
2016199367.tif 000005
【図４】
2016199367.tif 000006
【図５】
2016199367.tif 000007
【図６】
2016199367.tif 000008
【図７】
2016199367.tif 000009